(57)【要約】【課題】使い方が簡単で、男性小用時の尿飛散による便器や床面などの汚損を抑制することができ、従来の洋式便器を改造することなく使用可能な洋式トイレを提供する。【解決手段】洋式トイレ１０は、床面１１に設置された洋式便器１と、洋式便器１の前方の床面１１より低い位置に設けられた足踏面１３と、床面１１と足踏面１３との間に、洋式便器１の後方に向かって凹んだ形状に設けられた凹部１２と、を備えている。足踏面１３は、凹部１２の開口部から奥部に向かって段差無く連続している。床面１１の前縁部１１ａは便器本体２の前端部２ａよりも前方に突出している。成人男性のトイレ使用者Ｐは、足踏面１３上に足部Ｆを置いて洋式便器１に向かって起立した姿勢をとるとともに、その足先部Ｆ１を凹部１２の奥部に向かって差し込んだ状態とした後、便器本体２内に向かって排尿する。【選択図】図５
2009142568.tif 000002
【特許請求の範囲】
【請求項１】
床面に設置された洋式便器と、前記洋式便器の前方の前記床面より低い位置に設けられた足踏面と、を備え、前記足踏面上に起立し前記洋式便器に向かって排尿するトイレ使用者の足先部を差込可能な凹部を前記床面と前記足踏面との間に設けたことを特徴とする洋式トイレ。
【請求項２】
前記凹部の上方に位置する前記床面に、前記トイレ使用者の脚部を収容可能な切欠部を設けたことを特徴とする請求項１記載の洋式トイレ。
【請求項３】
前記切欠部を閉塞可能な着脱式の足置部材を設けた請求項２記載の洋式トイレ。
【請求項４】
前記足置部材で前記切欠部を閉塞したときの当該足置部材の高さが変更可能である請求項３記載の洋式トイレ。
【発明の詳細な説明】
【技術分野】
【０００１】
本発明は、洋式便器が配置された洋式トイレに関する。
【背景技術】
【０００２】
洋式トイレにおいて成人男性が小用する場合、便蓋及び便座が持ち上げられた洋式便器に向かって起立した姿勢をとり、便器の上縁よりもかなり高い位置から排尿するため、尿の飛沫や便器内に落下する尿の衝撃で飛散した水滴が便器や床面などに付着することが多い。便器などに付着した尿の飛沫は時間の経過に伴って変質し、悪臭を発するようになるため、不衛生である。
【０００３】
そこで、男性小用時の尿の飛沫などが便器周辺に飛散するのを防止するための様々な機構が提案されている（例えば、特許文献１，２参照。）。また、男性小用時の尿の飛散を防止する手段として、成人男性の放尿位置と便器との高低差を小さくすることのできる機構を設けたものもある（例えば、特許文献３，４参照。）。
【０００４】
【特許文献１】特開２００６−２４７３０４号公報
【特許文献２】特開２００６−１８１３０６号公報
【特許文献３】特開２００６−１７６９６５号公報
【特許文献４】特開２００４−１１３４３７号公報
【発明の開示】
【発明が解決しようとする課題】
【０００５】
特許文献１記載の「トイレ飛散防止シート」や特許文献２記載の「汚れ防止装置」の場合、洋式便器の上縁部分に取り付けられたシートにより、男性小用時の尿が便器周辺に飛散するのを防止することはできるが、尿の飛沫がシート自体に付着するのを回避することはできない。このため、従来の洋式トイレと同様、シートに付着した尿の飛沫が変質して悪臭を発するようになり、不衛生である。また、これらのシートを洋式便器に取り付けるためには、便器を改造したり、新たな部品を付加したりしなければならないので、従来の洋式便器に簡単に採用することはできない。
【０００６】
一方、特許文献３記載の「便器」は便器本体を昇降させる機構が必要であるため、構造が複雑化するだけでなく、広い設置スペースを必要とする。また、特許文献４記載の「キャビネット」は、床から離れた状態で設置される壁掛け式便器でなければ使用することができない。体格の小さな幼児や成人男性などが交互に使用する場合、その都度、踏み台を出したり、入れたりしなければならないため、操作が面倒である。
【０００７】
本発明が解決しようとする課題は、使い方が簡単で、男性小用時の尿飛沫による便器や床面などの汚損を抑制することができ、従来の洋式便器を改造することなく使用可能な洋式トイレを提供することにある。
【課題を解決するための手段】
【０００８】
本発明の洋式トイレは、床面に設置された洋式便器と、前記洋式便器の前方の前記床面より低い位置に設けられた足踏面と、を備え、前記足踏面上に起立し前記洋式便器に向かって排尿するトイレ使用者の足先部を差込可能な凹部を前記床面と前記足踏面との間に設けたことを特徴とする。ここで、「前記洋式便器の前方」とは、当該洋式便器に着座したトイレ使用者から見た前方をいう。
【０００９】
このような構成とすれば、当該洋式トイレを使用する成人男性（トイレ使用者）は、床面より低い足踏面上に起立して洋式便器に向かう姿勢をとる際に、床面と足踏面との間に設けられた凹部に自分の足先部を差し込むことができる。即ち、床面より低い足踏面上に起立することによって洋式便器と放尿位置との垂直距離を小さくすることができ、足踏面上に起立する際に自分の足先部を凹部に差し込むことによって洋式便器と放尿位置との水平距離を小さくすることができる。
【００１０】
このように、成人男性（トイレ使用者）が、足踏面上に起立し、且つ自分の足先部を凹部に差し込むことにより、成人男性（トイレ使用者）の放尿位置は大幅に洋式便器に近づき、排尿時の落差も小さくなるため、尿や水滴の飛散が減少する。従って、男性小用時の尿飛散に起因する便器や床面などの汚損を抑制することができる。また、成人男性（トイレ使用者）は、足踏面上に起立し、且つ自分の足先部を凹部に差し込むだけで良いので、使い方は簡単である。さらに、床面に設置された洋式便器に手を加える必要がないので、従来の洋式便器を改造することなく使用することができる。
【００１１】
ここで、前記凹部の上方に位置する前記床面に、前記トイレ使用者の脚部を収容可能な切欠部を設けることが望ましい。このような構成とすれば、トイレ使用者が足踏面上に起立して足先部を前記凹部に差し込むとともに、その脚部を切欠部に収容することが可能となるため、洋式便器と放尿位置との水平距離をさらに小さくすることができる。従って、成人男性の排尿時の尿や水滴の飛散をさらに減少させることができる。
【００１２】
一方、前記切欠部を閉塞可能な着脱式の足置部材を設けることもできる。このような構成とすれば、必要に応じて、足置部材で切欠部を閉塞することにより、その足置部材上に起立することが可能となるため、身長の低い男子などが排尿する際に使い易くなる。また、洋式便器に着座したトイレ使用者が自分の足を前記足置部材上に載せて、脚部などの負担を軽減することもできる。さらに、前記足置部材は着脱可能であるため、不要なときは切欠部から離脱させておけば、切欠部の機能を阻害することもない。
【００１３】
この場合、前記足置部材で前記切欠部を閉塞したときの当該足置部材の高さを変更可能とすることもできる。このような構成とすれば、足置部材の高さを変更することにより、当該足置部材から洋式便器までの距離を変更することができるため、トイレ使用者に適した位置に足置部材を配置することができる。また、前記トイレ使用者の成長に合わせて足置部材の高さを変更することもできる。
【発明の効果】
【００１４】
本発明により、使い方が簡単で、男性小用時の尿飛沫による便器や床面などの汚損を抑制することができ、従来の洋式便器を改造することなく使用可能な洋式トイレを提供することができる。
【発明を実施するための最良の形態】
【００１５】
以下、図面に基づいて、本発明の実施の形態について説明する。図１は本発明の第１実施形態である洋式トイレを示す一部省略斜視図、図２は図１に示す洋式トイレの側面図、図３は図１に示す洋式トイレの正面図、図４は図１に示す洋式トイレの平面図である。また、図５，図６は図１に示す洋式トイレの使用状態を示す側面図である。なお、実施の形態の説明における「前方」、「後方」、「右側」、「左側」の記載は洋式便器に着座したトイレ使用者から見た方向をいう。
【００１６】
図１〜図４に示すように、本実施形態の洋式トイレ１０は、床面１１に設置された洋式便器１と、洋式便器１の前方の床面１１より低い位置に設けられた足踏面１３と、床面１１と足踏面１３との間に、洋式便器１の後方に向かって凹んだ形状に設けられた凹部１２と、を備えている。洋式便器１は、便器本体２と、便器本体２上に起伏可能に取り付けられた便座３及び便蓋４などを備えている。足踏面１３は、凹部１２の開口部から奥部に向かって段差無く連続している。床面１１の前縁部１１ａは滑らかな曲面状をなし、その位置は便器本体２の前端部２ａよりも前方に突出している。
【００１７】
洋式トイレ１０の使い方は従来と同様であり、男性小用時は図５に示すように、便座３及び便蓋４を起立させた後、トイレ使用者Ｐは、足踏面１３上に足部Ｆを置いて洋式便器１に向かって起立した姿勢をとる。そして、トイレ使用者Ｐの足先部Ｆ１を凹部１２の奥部に向かって差し込んだ状態とした後、便器本体２内に向かって排尿する。
【００１８】
図５に示すように、洋式トイレ１０を使用する成人男性（トイレ使用者Ｐ）は、床面１１より低い足踏面１３上に起立して洋式便器１に向かう姿勢をとる際に、床面１１と足踏面１３との間に設けられた凹部１２に自分の足先部Ｆ１を差し込むことができる。即ち、床面１１より低い足踏面１３上に起立することにより、洋式便器１の便器本体２の上縁部２ｂと放尿位置との垂直距離を小さくすることができ、且つ、足踏面１３上に起立する際に自分の足先部Ｆ１を凹部１２に差し込むことによって便器本体２の前端部２ａと放尿位置との水平距離を小さくすることができる。
【００１９】
このように、成人男性（トイレ使用者Ｐ）が、足踏面１３上に起立し、且つ自分の足先部Ｆ１を凹部１２に差し込むことにより、成人男性（トイレ使用者Ｐ）の放尿位置は大幅に便器本体２に近づき、排尿時の落差が小さくなるため、尿や水滴の飛散が大幅に減少する。従って、男性小用時の尿飛散に起因する洋式便器１や床面１１などの汚損を抑制することができる。また、成人男性（トイレ使用者Ｐ）は、足踏面１３上に起立し、且つ自分の足先部Ｆ１を凹部１２に差し込むだけで良いので、使い方は簡単である。さらに、床面１１に設置された洋式便器１に改造を加えることなく、そのまま使用することができる。
【００２０】
一方、女性小用時の洋式トイレ１０の使い方は図６に示す通りである。便器本体２から便蓋４のみを起立させた後、成人女性（トイレ使用者Ｌ）は便座３上に着座し、足部Ｆを床面１１上の前縁部１１ａ付近に載せる。このとき、足先部Ｆ１が前縁部１１ａから突出することはあるが、トイレ使用者Ｌの体重の殆どは便座３で支えられ、脚部Ｋの重量は、床面１１上に位置する踵部Ｆ２で支えられているため、従来と同様の安定感が得られる。
【００２１】
次に、図７〜図９に基づいて、本発明の第２実施形態について説明する。図７は本発明の第２実施形態である洋式トイレを示す一部省略斜視図、図８は図７に示す洋式トイレの使用状態を示す側面図、図９は図７に示す洋式トイレの使用状態を示す側面図である。なお、図７〜図９に示す洋式トイレ３０において、前述した洋式トイレ１０の構成部分と同じ構造、機能を有する部分は図１〜図６と同符号を付して説明を省略する。
【００２２】
図７，図８に示すように、本実施形態の洋式トイレ３０は、床面３１に設置された洋式便器１と、洋式便器１の前方の床面３１より低い位置に設けられた足踏面３３と、を備え、足踏面３３上に起立し洋式便器１に向かって排尿する成人男性（トイレ使用者Ｐ）の足先部Ｆ１を差込可能な凹部３２が床面３１と足踏面３３との間に設けられている。また、凹部３２の上方に位置する床面３１に、トイレ使用者Ｐの脚部Ｋを収容可能な切欠部３１ｂが設けられている。切欠部３１ｂの左右に位置する、床面３１の前縁部３１ａは滑らかな曲面状に形成されている。
【００２３】
このような構成とすれば、トイレ使用者Ｐが足踏面３３上に起立して足先部Ｆ１を凹部３２に差し込むとともに、その脚部Ｋを切欠部３１ｂに収容することが可能となるため、洋式便器１の便器本体２の前端部２ａとトイレ使用者Ｐの放尿位置との水平距離をさらに小さくすることができる。従って、成人男性であるトイレ使用者Ｐの排尿時の尿や水滴の飛散を大幅に減少させることができる。なお、切欠部３１ｂの形状は限定しないので、二本の脚部Ｋを収容できるサイズ、形状を備えたものであれば、任意の形状とすることもできる。
【００２４】
一方、成人女性小用時における洋式トイレ３０の使い方は図９に示す通りであるが、便器本体２の前端部２ａから前縁部３１ａまでの突出長さは、図５で示したものより大であるため、足先部Ｆ１の一部が前縁部３１ａから突出することがあっても、足部Ｆの大部分を床面３１上に載せることができる。従って、便座３に着座中の成人女性（トイレ使用者Ｌ）の脚部Ｋ付近の安定感を高めることができる。
【００２５】
次に、図１０〜図１６に基づいて、本発明の第３実施形態について説明する。図１０は本発明の第３実施形態である洋式トイレを示す一部省略斜視図、図１１は図１０に示す洋式トイレの正面図、図１２は図１１のＡ−Ａ線における断面図である。また、図１３〜図１５は図１０に示す洋式トイレの使用状態を示す側面図、図１６は図１０に示す洋式トイレのその他の使用状態を示す正面図である。なお、図１０〜図１６に示す洋式トイレ５０において、前述した洋式トイレ１０，３０の構成部分と同じ構造、機能を有する部分は図１〜図９と同符号を付して説明を省略する。
【００２６】
図１０〜図１３に示すように、本実施形態の洋式トイレ５０は、床面５１に設置された洋式便器１と、洋式便器１の前方の床面５１より低い位置に設けられた足踏面５３と、を備え、足踏面５３上に起立し洋式便器１に向かって排尿する成人男性（トイレ使用者Ｐ）の足先部Ｆ１を差込可能な凹部５２が床面５１と足踏面５３との間に設けられている。また、凹部５２の上方に位置する床面５１に、トイレ使用者Ｐの脚部Ｋを収容可能な略半円形状の切欠部５１ｂが設けられている。切欠部５１ｂの左右に位置する、床面５１の前縁部にはそれぞれ垂直壁部５１ａが形成され、垂直壁部５１ａの下端部は足踏面５３に当接している。
【００２７】
図１０，図１１に示すように、洋式便器１の左側壁面５４下方の床面５１付近には、略長方形状の足置部材５５が蝶番５９を介して起倒可能に設けられ、足置部材５５を起立させる方向に付勢するためのダンパ５６が、足置部材５５裏面と足踏面５３との間に配置されている。また、図１１に示すように、倒伏させた足置部材５５を水平状態に保持したり、保持を解除したりするための操作レバー５７が、支軸５７ｘを介して、右側壁面５８に取り付けられている。
【００２８】
図１２に示すように、操作レバー５７は全体が略く字状をした部材であり、支軸５７ｘを中心に矢線Ｒ方向に回動可能な状態で右側壁面５８に取り付けられている。操作レバー５７の上方には、手動操作するための操作部５７ａが設けられ、操作レバー５７の下方には、足置部材５５の右端部が係合離脱可能な係合部５７ｂが設けられている。操作レバー５７は、操作部５７ａの自重により矢線Ｇ方向に付勢されているため、通常は係合部５７ｂが最下部に位置している。
【００２９】
図１１に示すように、起立状態にある足置部材５５の右端部にダンパ５６の付勢力より強い力を加え、蝶番５９を中心に、床面５１に向かって回動させると、図１２に示すように、足置部材５５の前縁下方に設けられた傾斜状のガイド面５５ａが、操作レバー５７の係合部５７ｂの傾斜面５７ｃに当接する。この後、足置部材５５の右端部を床面５１に近づけると、ガイド面５５ａが傾斜面５７ｃに沿って下方へ滑動し、これによって、係合部５７ｂが前方へ傾動する。さらに、足置部材５５の右端部を床面５１に近づけていき、足置部材５５が水平状態に至ると、傾斜面５７ｃからガイド面５５ａが離脱して操作レバー５７が反時計回りに回動して係合部５７ｂが元の位置に戻り、足置部材５５の右端部上面に当接するので、足置部材５５は水平状態に保持され、切欠部５１ｂが閉塞される。
【００３０】
一方、足置部材５５が水平状態に保持されているとき、操作レバー５７の操作部５７ａを支軸５７ｘ中心に時計回りに回動させると、係合部５７ｂが足置部材５５の右端部上面から離脱するので、ダンパ５６の付勢力により、足置部材５５は左側壁面５４に向かって起立していき、図１０に示す状態に復帰する。これによって、切欠部５１ｂは開放状態となる。
【００３１】
成人男子小用の場合、図１３に示すように、足置部材５５を起立状態とし、成人男子（トイレ使用者Ｐ）が足踏面５３上に起立して足先部Ｆ１を凹部５２に差し込むとともに、その脚部Ｋを切欠部５１ｂに収容する。これによって、洋式便器１の便器本体２の前端部２ａとトイレ使用者Ｐの放尿位置との距離を小さくすることができるため、成人男性であるトイレ使用者Ｐの排尿時の尿や水滴の飛散を大幅に減少させることができる。
【００３２】
次に、図１４に基づいて、男子子供Ｃの小用時の洋式トイレ５０の使い方を説明する。まず、前述した手順で足置部材５５を水平に倒伏させることにより切欠部５１ｂを閉塞する。この後、男子子供Ｃは足置部材５５上に足部ＣＦを載せて起立姿勢をとり、洋式便器１の便器本体２に向かって排尿する。足置部材５５上に起立することにより、男子子供Ｃは便器本体２に向かって放尿しやすい姿勢をとることができるので、尿が便器本体２の上縁部２ｂから零れたり、周囲に飛散したりするのを抑制することができる。このとき、男子子供Ｃの足部ＣＦ全体が足置部材５５上に載るので安定感も良好である。
【００３３】
また、図１５に示すように、女子子供ＳＰの小用時においても、足置部材５５を水平に倒伏させて切欠部５１ｂを閉塞することができる。女子子供ＳＰは便座３に着座するとともに、床面５１より高い足置部材５５上に足部ＳＦ全体を載せた姿勢をとることができるので、安定感も良好である。
【００３４】
このように、洋式トイレ５０においては、必要に応じて、足置部材５５で切欠部５１ｂを閉塞することにより、足置部材５５上に起立したり、足を載せたりすることができるため、身長の低い男子子供Ｃや女子子供ＳＰなどが排尿する際に使い易くなり、脚部Ｋなどの負担を軽減することもできる。足置部材５５は切欠部５１ｂに着脱可能であるため、不要なときは切欠部５１ｂから離脱させておけば、切欠部５１ｂの機能を阻害することもない。
【００３５】
図１６に示すように、洋式トイレ５０において、蝶番５９は左側壁面５４に着脱可能であり、操作レバー５７の支軸５７ｘは右側壁面５８に着脱可能であり、さらに右側壁面５８には着脱式のストッパ６０が取付可能である。このため、蝶番５９、支軸５７ｘ及びストッパ６０の取付位置を変更することにより、足置部材５５を倒伏させて切欠部５１ｂを閉塞した場合の床面５１から当該足置部材５５まで高さＨを変更することができる。即ち、足置部材５５の高さＨを変更することにより、当該足置部材５５から便器本体２の上縁部２ｂまでの距離を変更することができるため、トイレ使用者に適した位置に足置部材５５を配置することができる。また、トイレ使用者に子供が含まれる場合、その成長に合わせて足置部材５５の高さを変更することもできる。
【産業上の利用可能性】
【００３６】
本発明の洋式トイレは、一般住宅や公共施設などのトイレ設備において広く利用することができる。
【図面の簡単な説明】
【００３７】
【図１】本発明の第１実施形態である洋式トイレを示す一部省略斜視図である。
【図２】図１に示す洋式トイレの側面図である。
【図３】図１に示す洋式トイレの正面図である。
【図４】図１に示す洋式トイレの平面図である。
【図５】図１に示す洋式トイレの使用状態を示す側面図である。
【図６】図１に示す洋式トイレの使用状態を示す側面図である。
【図７】本発明の第２実施形態である洋式トイレを示す一部省略斜視図である。
【図８】図７に示す洋式トイレの使用状態を示す側面図である。
【図９】図７に示す洋式トイレの使用状態を示す側面図である。
【図１０】本発明の第３実施形態である洋式トイレを示す一部省略斜視図である。
【図１１】図１０に示す洋式トイレの正面図である。
【図１２】図１１のＡ−Ａ線における断面図である。
【図１３】図１０に示す洋式トイレの使用状態を示す側面図である。
【図１４】図１０に示す洋式トイレの使用状態を示す側面図である。
【図１５】図１０に示す洋式トイレの使用状態を示す側面図である。
【図１６】図１０に示す洋式トイレのその他の使用状態を示す正面図である。
【符号の説明】
【００３８】
１  洋式便器
２  便器本体
２ａ  前端部
２ｂ  上縁部
３  便座
４  便蓋
１０，３０，５０  洋式トイレ
１１，３１，５１  床面
１１ａ，３１ａ  前縁部
１２，３２，５２  凹部
１３，３３，５３  足踏面
３１ｂ，５１ｂ  切欠部
５１ａ  垂直壁部
５４  左側壁面
５５  足置部材
５５ａ  ガイド面
５６  ダンパ
５７  操作レバー
５７ａ  操作部
５７ｂ  係合部
５７ｃ  傾斜面
５７ｘ  支軸
５８  右側壁面
５９  蝶番
６０  ストッパ
Ｃ  男子子供
Ｆ，ＣＦ，ＳＦ  足部
Ｆ１  足先部
Ｆ２  踵部
Ｋ  脚部
Ｐ，Ｌ  トイレ使用者
ＳＰ  女子子供
【図１】
2009142568.tif 000003
【図２】
2009142568.tif 000004
【図３】
2009142568.tif 000005
【図４】
2009142568.tif 000006
【図５】
2009142568.tif 000007
【図６】
2009142568.tif 000008
【図７】
2009142568.tif 000009
【図８】
2009142568.tif 000010
【図９】
2009142568.tif 000011
【図１０】
2009142568.tif 000012
【図１１】
2009142568.tif 000013
【図１２】
2009142568.tif 000014
【図１３】
2009142568.tif 000015
【図１４】
2009142568.tif 000016
【図１５】
2009142568.tif 000017
【図１６】
2009142568.tif 000018